(57)【要約】【課題】組み立てが容易な組合せ式家具、及びこの組合せ式家具を組み合わせたユニット家具を提供する。【解決手段】組合せ式家具10は、底板11、左側板12、右側板13、天板14及び背板15によって前面を開口した立方体状または直方体状の箱形に形成される。底板11、左側板12、並びに背板15における底板11との交線及び左側板12との交線を２辺とする直角三角形状の第１三角背板部16を備えた第１構成部材20xと、天板14、右側板13、並びに背板15における天板14との交線及び右側板13との交線を２辺とする直角三角形状の第２三角背板部17を備えた第２構成部材20yとが、予め同一形状に形成される。第１構成部材20xと第２構成部材20yとが組み合わされて、組合せ式家具10が形成される。【選択図】図２
2012223251.tif 000002
【特許請求の範囲】
【請求項１】
底板、左右一対の側板、天板及び背板によって前面を開口した立方体状または直方体状の箱形に形成された組合せ式家具であって、
前記底板、前記左右一対の側板のいずれか一方、並びに前記背板における前記底板との交線及び前記一方の側板との交線を２辺とする直角三角形状の部分（以下「第１三角背板部」という。）を備えた第１構成部材と、前記天板、前記左右一対の側板のいずれか他方、並びに前記背板における前記天板との交線及び前記他方の側板との交線を２辺とする直角三角形状の部分（以下「第２三角背板部」という。）を備えた第２構成部材とが、予め同一形状に形成され、
前記第１構成部材と前記第２構成部材とが組み合わされて形成されたことを特徴とする組合せ式家具。
【請求項２】
前記第１構成部材と前記第２構成部材とが組み合わされた場合に、
前記第１構成部材の前記底板における上側の板面と前記第２構成部材の前記側板における下側の縁面とが当接し、且つ、前記第２構成部材の前記天板における下側の板面と前記第１構成部材の前記側板における上側の縁面とが当接し、且つ、前記第１三角背板部における斜辺側の縁面と前記第２三角背板部における斜辺側の縁面とが当接するように形成された、
または、前記第１構成部材の前記側板における第２構成部材側側方の板面と前記第２構成部材の前記天板における第１構成部材側側方の縁面とが当接し、且つ、前記第２構成部材の前記側板における第１構成部材側側方の板面と前記第１構成部材の前記底板における第２構成部材側側方の縁面とが当接し、且つ、前記第１三角背板部における斜辺側の縁面と前記第２三角背板部における斜辺側の縁面とが当接するように形成されたことを特徴とする請求項１記載の組合せ式家具。
【請求項３】
前記第１構成部材は、前記第１三角背板部における直角の先端から底板側の鋭角の先端までの横幅が、前記組合せ式家具の内周面における前記底板の横幅と等しく、且つ、前記第１三角背板部における直角の先端から側板側の鋭角の先端までの縦幅が、前記組合せ式家具の内周面における前記側板の縦幅よりも前記底板の厚み分短く形成され、
または、前記第１三角背板部における直角の先端から底板側の鋭角の先端までの横幅が、前記組合せ式家具の内周面における前記底板の横幅よりも前記側板の厚み分短く、且つ、前記第１三角背板部における直角の先端から側板側の鋭角の先端までの縦幅が、前記組合せ式家具の内周面における前記側板の縦幅と等しく形成されたことを特徴とする請求項１または２記載の組合せ式家具。
【請求項４】
前記第１構成部材は、前記第１三角背板部における直角の先端から底板側の鋭角の先端までの横幅が、前記組合せ式家具の内周面における前記底板の横幅と等しく、且つ、前記第１三角背板部における直角の先端から側板側の鋭角の先端までの縦幅が、前記組合せ式家具の内周面における前記側板の縦幅と等しく形成されたことを特徴とする請求項１記載の組合せ式家具。
【請求項５】
前記組合せ式家具の開口縁は、四角枠状の四角フレームに被覆され、
前記四角フレームにおける前記底板、前記左右一対の側板、及び前記天板の前面に対向する所定位置には、それぞれ取付ピンが設けられ、
前記底板、前記左右一対の側板、及び前記天板の前面における前記取付ピンに対応する位置には、それぞれ取付用挿嵌穴が形成され、
前記取付ピンが前記取付用挿嵌穴に挿嵌されて前記四角フレームが前記組合せ式家具の前記開口縁に取り付けられたことにより、前記第１構成部材と前記第２構成部材とが固定されたことを特徴とする請求項１ないし４のいずれかに記載の組合せ式家具。
【請求項６】
前記底板、前記左右一対の側板、及び前記天板の裏面における前記第１構成部材と前記第２構成部材との当接部分を挟んだ両脇の位置には、それぞれ固定用挿嵌穴が形成され、
留め具のピン板に並設された一対の並列ピンが、前記当接部分の両脇に位置する２つの前記固定用挿嵌穴にそれぞれ挿嵌されたことにより、前記第１構成部材と前記第２構成部材とが前記留め具によって固定されたことを特徴とする請求項１ないし５のいずれかに記載の組合せ式家具。
【請求項７】
請求項１ないし６のいずれかに記載の組合せ式家具が複数個組み合わされて形成されたことを特徴とするユニット家具。
【請求項８】
前記底板、前記左右一対の側板、及び前記天板の裏面における所定位置には、それぞれ連結用挿嵌穴が形成され、
留め具の有した一対の並列ピンが、隣接した２個の組合せ式家具における両者の接触した接触部分を挟んで近接した２つの連結用挿嵌穴にそれぞれ挿嵌されたことにより、隣接した２個の組合せ式家具が前記留め具によって連結されたことを特徴とする請求項７記載のユニット家具。
【発明の詳細な説明】
【技術分野】
【０００１】
本発明は、前面を開口した箱形の組合せ式家具、及び複数の組合せ式家具を組み合わせたユニット家具に関する。
【背景技術】
【０００２】
従来、ユニット家具は、製造業者が設計した寸法で製造された部品を組み立てるようになっていた。そのため、ユニット家具の形状を適宜変更することができなかった。
そこで、前面及び後面を開口した箱形の組合せ式家具を複数個組み立て、これらの組合せ式家具を自由に組み合わせて形成するユニット家具が提供されている（特許文献１参照）。
【先行技術文献】
【特許文献】
【０００３】
【特許文献１】特開２００９−１２５０９５号公報
【発明の概要】
【発明が解決しようとする課題】
【０００４】
ところが、従来の組合せ式家具やユニット家具は、様々な形状の平板を、様々な形状のネジや留め具などを用いて、解説書や説明図等などを参照しつつ組み立てるようになっている。組み立て作業に広い場所が必要となる、組み立て作業の時間が長くなる、材料屑が発生する等の問題があった。また、部品の組み間違い、取り付け方法や順序の間違い、またはこれらの間違いによる組み直しにより、さらに組み立て作業の時間が長くなる、または部品を破損したり紛失したりする等の問題もあった。
そこで、本発明は、上述した問題に鑑みてなされたものであり、組み立てが容易な組合せ式家具、及びこの組合せ式家具を組み合わせたユニット家具を提供することを課題とする。
【課題を解決するための手段】
【０００５】
（第１の発明）
本発明のうち第１の発明は、底板(11)、左右一対の側板(12,13)、天板(14)及び背板(15)によって前面を開口した立方体状または直方体状の箱形に形成された組合せ式家具(10)であって、
前記底板(11)、前記左右一対の側板(12,13)のいずれか一方、並びに前記背板(15)における前記底板(11)との交線及び前記一方の側板(12or13)との交線を２辺とする直角三角形状の部分（以下「第１三角背板部(16)」という。）を備えた第１構成部材(20x)と、前記天板(14)、前記左右一対の側板(12,13)のいずれか他方、並びに前記背板(15)における前記天板(14)との交線及び前記他方の側板(12or13)との交線を２辺とする直角三角形状の部分（以下「第２三角背板部(17)」という。）を備えた第２構成部材(20y)とが、予め同一形状に形成され、
前記第１構成部材(20x)と前記第２構成部材(20y)とが組み合わされて形成されたことを特徴とする。
【０００６】
（第２の発明）
本発明のうち第２の発明は、前記第１の発明の特徴に加え、
前記第１構成部材(20x)と前記第２構成部材(20y)とが組み合わされた場合に、
前記第１構成部材(20x)の前記底板(11)における上側の板面と前記第２構成部材(20y)の前記側板(12or13)における下側の縁面とが当接し、且つ、前記第２構成部材(20y)の前記天板(14)における下側の板面と前記第１構成部材(20x)の前記側板(12or13)における上側の縁面とが当接し、且つ、前記第１三角背板部(16)における斜辺側の縁面と前記第２三角背板部(17)における斜辺側の縁面とが当接するように形成された、
または、前記第１構成部材(20x)の前記側板(12or13)における第２構成部材側側方の板面と前記第２構成部材(20y)の前記天板(14)における第１構成部材側側方の縁面とが当接し、且つ、前記第２構成部材(20y)の前記側板(12or13)における第１構成部材側側方の板面と前記第１構成部材(20x)の前記底板(11)における第２構成部材側側方の縁面とが当接し、且つ、前記第１三角背板部(16)における斜辺側の縁面と前記第２三角背板部(17)における斜辺側の縁面とが当接するように形成されたことを特徴とする。
【０００７】
（第３の発明）
本発明のうち第３の発明は、前記第１または第２の発明の特徴に加え、
前記第１構成部材(20x)は、前記第１三角背板部(16)における直角の先端から底板側の鋭角の先端までの横幅が、前記組合せ式家具(10)の内周面における前記底板(11)の横幅と等しく、且つ、前記第１三角背板部(16)における直角の先端から側板側の鋭角の先端までの縦幅が、前記組合せ式家具(10)の内周面における前記側板(12or13)の縦幅よりも前記底板(11)の厚み分短く形成され、
または、前記第１三角背板部(16)における直角の先端から底板側の鋭角の先端までの横幅が、前記組合せ式家具(10)の内周面における前記底板(11)の横幅よりも前記側板(12or13)の厚み分短く、且つ、前記第１三角背板部(16)における直角の先端から側板側の鋭角の先端までの縦幅が、前記組合せ式家具(10)の内周面における前記側板(12or13)の縦幅と等しく形成されたことを特徴とする。
【０００８】
（第４の発明）
本発明のうち第４の発明は、前記第１の発明の特徴に加え、
前記第１構成部材(20x)は、前記第１三角背板部(16)における直角の先端から底板側の鋭角の先端までの横幅が、前記組合せ式家具(10)の内周面における前記底板(11)の横幅と等しく、且つ、前記第１三角背板部(16)における直角の先端から側板側の鋭角の先端までの縦幅が、前記組合せ式家具(10)の内周面における前記側板(12or13)の縦幅と等しく形成されたことを特徴とする。
（第５の発明）
本発明のうち第５の発明は、前記第１ないし第４の発明のいずれかの特徴に加え、
前記組合せ式家具(10)の開口縁は、四角枠状の四角フレーム(60)に被覆され、
前記四角フレーム(60)における前記底板(11)、前記左右一対の側板(12,13)、及び前記天板(14)の前面に対向する所定位置には、それぞれ取付ピン(63)が設けられ、
前記底板(11)、前記左右一対の側板(12,13)、及び前記天板(14)の前面における前記取付ピン(63)に対応する位置には、それぞれ取付用挿嵌穴(70)が形成され、
前記取付ピン(63)が前記取付用挿嵌穴(70)に挿嵌されて前記四角フレーム(60)が前記組合せ式家具(10)の前記開口縁に取り付けられたことにより、前記第１構成部材(20x)と前記第２構成部材(20y)とが固定されたことを特徴とする。
【０００９】
（第６の発明）
本発明のうち第６の発明は、前記第１ないし第５の発明のいずれかの特徴に加え、
前記底板(11)、前記左右一対の側板(12,13)、及び前記天板(14)の裏面における前記第１構成部材(20x)と前記第２構成部材(20y)との当接部分を挟んだ両脇の位置には、それぞれ固定用挿嵌穴(70)が形成され、
留め具(80)の有した一対の並列ピン(82)が、前記当接部分の両脇に位置する２つの前記固定用挿嵌穴(70)にそれぞれ挿嵌されたことにより、前記第１構成部材(20x)と前記第２構成部材(20y)とが前記留め具(80)によって固定されたことを特徴とする。
【００１０】
（第７の発明）
本発明のうち第７の発明は、第１ないし第６の発明のいずれかの組合せ式家具(10)が複数個組み合わされて形成されたことを特徴とするユニット家具(90)に関する。
（第８の発明）
本発明のうち第８の発明は、前記第７の発明の特徴に加え、
前記底板(11)、前記左右一対の側板(12,13)、及び前記天板(14)の裏面における所定位置には、それぞれ連結用挿嵌穴(70)が形成され、
留め具(80)のピン板(81)に並設された一対の並列ピン(82)が、隣接した２個の組合せ式家具(10)における両者の接触した接触部分を挟んで近接した２つの連結用挿嵌穴(70)にそれぞれ挿嵌されたことにより、隣接した２個の組合せ式家具(10)が前記留め具(80)によって連結されたことを特徴とする。
【発明の効果】
【００１１】
本発明よれば、予め形成された２つの部材を組み合わせることにより組合せ式家具が完成することから、従来よりも組み立て作業の占用スペースを小さくすることができ、組み立て作業の時間を短縮することができ、さらに材料屑の発生を抑制することができる。また、従来よりも部品の組み間違いや、取り付け方法及び順序の間違いも起こり難くすることができる。さらに、挿嵌穴に四角フレームの取付ピンを挿嵌する、または挿嵌穴に留め具の並列ピンを挿嵌することにより、第１構成部材と第２構成部材との固定や、複数の組合せ式家具同士の固定を行うことから、工具を用いずに組み立てることができる。したがって、組合せ式家具、及びこの組合せ式家具を組み合わせたユニット家具を容易に組み立てることができる。また、複数の構成部材を重ねることで小さな梱包とすることが可能となり、これにより梱包資材を削減することができ、さらには運搬時や保管時の占用スペースも少なくすることができる。
【図面の簡単な説明】
【００１２】
【図１】本発明の実施の形態に係る組合せ式家具を示す（Ａ）斜視図、（Ｂ）正面図である。
【図２】本発明の実施の形態に係る組合せ式家具を示す（Ａ）分解斜視図、（Ｂ）分解正面図である。
【図３】本発明の実施の形態に係る構成部材を示す分解斜視図である。
【図４】本発明の実施の形態に係る組合せ式家具を示す分解斜視図である。
【図５】本発明の実施の形態に係る組合せ式家具の四角フレームの取り付けを示す斜視図である。
【図６】本発明の実施の形態に係る組合せ式家具を示す背面図である。
【図７】本発明の実施の形態に係る留め具を示す（Ａ）正面図、（Ｂ）平面図である。
【図８】本発明の実施の形態に係る組合せ式家具の化粧パネルの取り付けを示す斜視図である。
【図９】本発明の実施の形態に係る構成部材を示す正面図である。
【図１０】本発明の実施の形態に係るユニット家具を示す正面図である。
【図１１】本発明の実施の形態に係る組合せ式家具のダボによる連結を示す背面図である。
【図１２】本発明の実施の形態に係る組合せ式家具の留め具による連結を示す背面図である。
【図１３】本発明の実施の形態に係る構成部材を示す正面図である。
【発明を実施するための形態】
【００１３】
本発明を実施するための形態を、図面を参照しつつ説明する。
（組合せ式家具10）
図１に示すように、本実施の形態に係る組合せ式家具10は、前面を開口した立方体状の箱形に形成されている。
ここで、図１及び図２において、最下部に位置する略水平な部分を以下「底板11」と呼び、底板の左端に位置する略垂直な部分を以下「左側板12」と呼び、底板の右端に位置する略垂直な部分を以下「右側板13」と呼び、最上部に位置する略水平な部分を以下「天板14」と呼び、底板の後端に位置する略垂直な部分を以下「背板15」と呼ぶことにする。
【００１４】
図２に示すように、組合せ式家具10は、底板11、左側板12、及び背板15における底板11との交線及び左側板12との交線を２辺とする直角三角形状の部分（第１三角背板部16）を備えた第１構成部材20xと、天板14、右側板13、及び背板15における天板14との交線及び右側板13との交線を２辺とする直角三角形状の部分（第２三角背板部17）を備えた第２構成部材20yとが、組み合わされて形成されている。この第１構成部材20xと第２構成部材20yとは、予め同一形状に形成されている。つまり、組合せ式家具10は、２個の同一の構成部材20を組み合わせて形成されている。
次に、構成部材20について説明する。
【００１５】
図３に示すように、構成部材20は、略矩形の方形パネル30を２枚、Ｌ字形のＬ字フレーム40を２枚、直角二等辺三角形状の背板パネル33を１枚備えている。
先ず、２枚の方形パネル30を長手側の縁面がＬ字形となるように略直角に接合して、本体パネルを組み立てる。このとき、一方の方形パネル30（以下「短手側方形パネル31」という。）の板面の端部に、他方の方形パネル30（以下「長手側方形パネル32」という。）の短手側の縁面を接着剤等によって接着させる。したがって、本体パネルのＬ字状の角から長手側方形パネル32の先端までの距離は、この角から短手側方形パネル31の先端までの距離よりも短手側方形パネル31の厚み分長くなっている。
【００１６】
また、Ｌ字フレーム40に背板パネル33を接着して、背面側パネルを組み立てる。Ｌ字フレーム40は、本体パネルの前面側の縁面に対応したＬ字形に形成されている（Ｌ字フレーム40のうち短手側方形パネル31に対応する部分を「短手側フレーム部41」とし、長手側方形パネル32に対応する部分を「長手側フレーム部42」とする）。背板パネル33は、Ｌ字フレーム40の内角側の内周面に対応した直角二等辺三角形状に形成されている。長手側フレーム部42と短手側フレーム部41との間に背板パネル33の頂角部分を入れ込んで、背板パネル33の２辺の縁面を長手側フレーム部42及び短手側フレーム部41に接着剤等で接着して、背面側パネルを組み立てる。背面パネルの直角を挟む２辺の長さは、短手側フレーム部41の内周面の横方向の長さ、換言すると、短手側方形パネル31の横幅から長手側方形パネル32の厚みを引いた長さとほぼ等しい。したがって、短手側フレーム部41側においては、背板パネル33の先端が短手側フレーム部41の先端まで到達しているが、長手側フレーム部42側においては、背板パネル33の先端が長手側フレーム部42の先端に達しておらず、長手側方形パネル32の厚み分の間隔が形成されている。
【００１７】
そして、本体パネルの前面側の縁面にＬ字フレーム40を接着剤等で接着するとともに、本体パネルの背面側の縁面に背面側パネルを接着剤等で接着することにより、１個の構成部材20が形成される。
次に、２個の構成部材20を組み合わせて組合せ式家具10を形成する。
図４に示すように、２個の構成部材20は、一方の構成部材20を基準に、もう一方の構成部材20を正面視で１８０度回転した向き、つまり両者の長手側方形パネル32が対向するとともに両者の短手側方形パネル31が対向する向きにする。そして、背板パネル33の底辺同士を当接させるとともに、構成部材20における短手側方形パネル31の先端の縁面をもう一方の構成部材20における長手側方形パネル32の内面の端部に当接させる。これにより、２個の構成部材20が前面を開口した立方体状となる。
【００１８】
また、２個の構成部材20を組み合わせた場合において互いに当接する当接部分には、互いに対向する位置にピン穴51が形成されている。具体的には、短手側方形パネル31の先端の縁面、及び長手側方形パネル32の内面の端部には、２個の構成部材20を組み合わせた際に互いに対向する位置にピン穴51が形成されている。２個の構成部材20を組み合わせる場合に、対向するピン穴51に接合ピン52を挿嵌させることにより、この当接部分が接合される。
詳述すると、２個の構成部材20を組み合わせる場合に、短手側方形パネル31の先端の縁面のピン穴51に接合ピン52の一端を圧入するとともに、このピン穴51に対向する長手側方形パネル32の内面の端部のピン穴51に接合ピン52の他端を圧入させて、２個の構成部材20の背板パネル33を当接させる。これにより、短手側方形パネル31の先端の縁面と、他方の構成部材20における長手側方形パネル32の内面の端部とが接合されて、２個の構成部材20が組み合わせた状態に固定されることとなる。
【００１９】
図１及び図５に示すように、組合せ式家具10の前面の開口縁、つまり前面側のＬ字フレーム40には、四角枠状の四角フレーム60が取り付けられる。
図５に示すように、四角フレーム60は、開口縁に対応した四角枠状の装飾パネル61と、装飾パネル61の背面に嵌め込まれる四角枠状の固定枠62とを備えている。この装飾パネル61は、組合せ式家具10の前面に位置する２つのＬ字フレーム40に対応した四角枠状に形成されている。また、装飾パネル61の背面には、固定枠62の形状に対応した溝部が形成されており、この溝部に固定枠62を嵌め込むことで一体となっている。固定枠62の背面には、Ｌ字フレーム40に形成された挿嵌穴（後述）に対応する位置に取付ピン63が設けられている。
【００２０】
図３に示すように、Ｌ字フレーム40における屈曲部分の正面略中央の位置、換言すると、短手側フレーム部41における長手側フレーム部42との接合部分の近傍の位置には、厚み方向に貫通した挿嵌穴70（以下「第１挿嵌穴71」という。）が形成されている。また、短手側フレーム部41には、この第１挿嵌穴71から短手側フレーム部41の長手方向へ所定ピッチで２つの挿嵌穴70（以下「第２挿嵌穴72」、「第３挿嵌穴73」という。）が形成されている。また、長手側フレーム部42には、この第１挿嵌穴71から長手側フレーム部42の長手方向へ所定ピッチで２つの挿嵌穴70（以下「第２挿嵌穴72」、「第３挿嵌穴73」という。）が形成されている。また、長手側フレーム部42の先端部には、３つの挿嵌穴70が長手方向へ所定ピッチで形成されている（先端側から順に「第１挿嵌穴71」、「第２挿嵌穴72」、「第３挿嵌穴73」という。）。また、短手側フレーム部41の先端部には、２つの挿嵌穴70が長手方向へ所定ピッチで形成されている（先端側から順に「第２挿嵌穴72」、「第３挿嵌穴73」という。）。
【００２１】
そして、図５に示すように、前面側の２つのＬ字フレーム40に形成された第２挿嵌穴72に、固定枠62の取付ピン63を挿嵌ことにより、四角フレーム60が前面側のＬ字フレーム40に取り付けられる。このように四角フレーム60を組合せ式家具10の開口縁に取り付けることにより、２個の構成部材20の接合を補強できるとともに、Ｌ字フレーム40の挿嵌穴70を覆い隠すことができる。
図６に示すように、組合せ式家具10の背面側のＬ字フレーム40には、留め具80が取り付けられる。この留め具80は、扁平なピン板81と、ピン板81に並設された２つの並列ピン82とを備えている（図７参照）。この２つの並列ピン82のピッチは、Ｌ字フレーム40の挿嵌穴70のピッチと同様に形成されている。
【００２２】
詳述すると、２個の構成部材20を組み合わせた場合に、Ｌ字フレーム40における長手側フレーム部42の先端部の側面に、もう一方のＬ字フレーム40における短手側フレーム部41の先端縁が当接する。また、Ｌ字フレーム40における長手側フレーム部42の先端部に位置する第１挿嵌穴71と、もう一方のＬ字フレーム40における短手側フレーム部41の先端部に位置する第２挿嵌穴72とが、他の挿嵌穴70と同様に所定ピッチで並列する。そして、この第１挿嵌穴71に留め具80の一方の並列ピン82を圧入するとともに、この第２挿嵌穴72に留め具80の他方の並列ピン82を圧入する。このように留め具80によってＬ字フレーム40の長手側フレーム部42ともう一方のＬ字フレーム40の短手側フレーム部41とを連結することにより、２個の構成部材20の接合を補強できる。
【００２３】
図８に示すように、背板パネル33の前面には化粧パネル53が取り付けられる。
具体的には、背板パネル33における所定の位置には、厚み方向に貫通した貫通穴34が形成されている。化粧パネル53は、組み合う２枚の背板パネル33における前面の正方形とほぼ等しい平板状に形成されている。また、化粧パネル53の裏面における貫通穴34に対応する位置には、それぞれ固定ピン54が設けられている。そして、開口から組合せ式家具10の内部に化粧パネル53を差し入れて、２つの固定ピン54をそれぞれ貫通穴34に圧入させることにより、化粧パネル53が背板パネル33に固定される。この化粧パネル53を組合せ式家具10に取り付けることにより、２枚の背板パネル33の継ぎ目を隠すことができる。また、化粧パネル53の前面に任意の意匠を施すことも可能である。
【００２４】
本発明の組合せ式家具10は、上述したような立方体状の箱形に限られず、直方体状の箱形に形成することもできる。
上述した組合せ式家具10（以下、「第１型の組合せ式家具10」という）について、長手側方形パネル32の縁面の長さＡｌを基準値Ｂｌとし、短手側方形パネル31の縁面の長さＡｓを基準値Ｂｓとする（図９（Ａ）参照）。また、いずれの種類の方形パネル30も厚みＴを共通とする。
第２型の組合せ式家具について、図９（Ｂ）に示すように、長手側方形パネル32の縁面の長さＡｌは、
Ａｌ＝Ｂｌ
つまり、基準値Ｂｌと同じ長さに形成されている。
【００２５】
また、第２型の組合せ式家具に係る短手側方形パネル31の縁面の長さＡｓは、
Ａｓ＝（Ｂｓ−Ｔ）÷２
つまり、基準値Ｂｓから厚みＴを引いた差の半分の長さに形成されている。
第３型の組合せ式家具について、図９（Ｃ）に示すように、長手側方形パネル32の縁面の長さＡｌは、
Ａｌ＝Ｂｌ×２＋Ｔ
つまり、基準値Ｂｌの２倍に厚みＴを加算した値の長さに形成されている。
また、第３型の組合せ式家具に係る短手側方形パネル31の縁面の長さＡｓは、
Ａｓ＝（Ｂｓ−Ｔ）÷２
つまり、基準値Ｂｓから厚みＴを引いた差の半分の長さに形成されている
第４型の組合せ式家具について、図９（Ｄ）に示すように、長手側方形パネル32の縁面の長さＡｌは、
Ａｌ＝Ｂｌ×２＋Ｔ
つまり、基準値Ｂｌの２倍に厚みＴを加算した値の長さに形成されている。
【００２６】
また、第４型の組合せ式家具に係る短手側方形パネル31の縁面の長さＡｓは、
Ａｓ＝Ｂｓ
つまり、基準値Ｂｓと同じ長さに形成されている。
なお、第２型〜第４型の組合せ式家具は、寸法のみが第１の組合せ式家具10と異なり、短手側方形パネル31と長手側方形パネル32とが寸法の異なる別部品となる以外は、構成や製造工程は第１の組合せ式家具10と同様なので、詳細な説明は省略する。
図１０に示すように、複数個の組合せ式家具10を組み合わせてユニット家具90を形成することができる。
【００２７】
図１に示すように、方形パネル30の外側の板面には、複数のダボ穴84が形成されている。組合せ式家具10を上下または左右に並べた際に、隣接する方形パネル30のダボ穴84が対向するようになっている。この対向するダボ穴84にダボ83（図１１参照）を圧入することにより、隣接する組合せ式家具10を連結することができる。
また、複数個の組合せ式家具10は、上述した留め具80によって連結する。
図１２に示すように、組合せ式家具10を上下または左右に並べると、隣接する組合せ式家具10において近接する第１挿嵌穴71同士、第２挿嵌穴72同士及び第３挿嵌穴73同士が上下または左右に並列する。この並列する第１挿嵌穴71、第２挿嵌穴72及び第３挿嵌穴73は、上述した挿嵌穴70の所定ピッチで並列する。背面側のＬ字フレーム40において、並列する第１挿嵌穴71または第２挿嵌穴72が空いていれば、第１挿嵌穴71または第２挿嵌穴72に留め具80の並列ピン82を圧入することにより、隣接する組合せ式家具10を連結することが可能である。しかし、第１挿嵌穴71及び第２挿嵌穴72には、２個の構成部材20の固定時に装着された留め具80の並列ピン82が既に存在する場合がある。そこで、本実施の形態では、背面側のＬ字フレーム40において、並列する第３挿嵌穴73に留め具80の並列ピン82をそれぞれ圧入することにより、隣接する組合せ式家具10を連結している。したがって、留め具80による２個の構成部材20の固定や隣接する組合せ式家具10の連結には、第１挿嵌穴71、第２挿嵌穴72及び第３挿嵌穴73で用が足りる。
【００２８】
なお、組合せ式家具10の前面に前扉を設け、開口を開閉自在に塞げるように形成してもよい。また、組合せ式家具10の内部空間に１または複数段の引出しを設け、開口から引出しを出し入れできるように形成してもよい。また、組合せ式家具10の内部空間に１または複数の着脱自在な棚板を設け、内部空間を仕切れるように形成してもよい。
また、組合せ式家具10は、第１構成部材20xが底板11、右側板13、及び背板15における底板11との交線及び右側板13との交線を２辺とする直角三角形状の部分を備え、第２構成部材20yが天板14、左側板12、及び背板15における天板14との交線及び左側板12との交線を２辺とする直角三角形状の部分を備えるように形成されてもよい。
【００２９】
図１３に示すように、構成部材20は、背板パネル33における直角の先端から短手側方形パネル31側の鋭角の先端までの横幅が、組合せ式家具10の内周面における短手側方形パネル31の横幅と等しく、且つ、背板パネル33における直角の先端から長手側方形パネル32側の鋭角の先端までの縦幅が、組合せ式家具10の内周面における長手側方形パネル32の縦幅と等しく形成されてもよい。また、背板パネル33における直角三角形の斜辺に相当する縁面にピン穴51が形成され、２個の構成部材20が組み合わさる際に対向するピン穴51に接合ピン52を挿嵌させることにより、互いに当接する斜辺の縁面が接合されるようにしてもよい。
【００３０】
以上のように、本発明の実施の形態よれば、予め形成された２つの構成部材20を組み合わせることにより組合せ式家具10が完成することから、従来よりも組み立て作業の占用スペースを小さくすることができ、組み立て作業の時間を短縮することができ、さらに材料屑の発生を抑制することができる。また、従来よりも部品の組み間違いや、取り付け方法及び順序の間違いも起こり難くすることができる。さらに、挿嵌穴70に四角フレーム60の取付ピン63を挿嵌する、または挿嵌穴70に留め具80の並列ピン82を挿嵌することにより、構成部材20同士の固定や、複数の組合せ式家具10同士の固定を行うことから、工具を用いずに組み立てることができる。したがって、組合せ式家具10、及びこの組合せ式家具10を組み合わせたユニット家具90を容易に組み立てることができる。また、複数の構成部材20を重ねることで小さな梱包とすることが可能となり、これにより梱包資材を削減することができ、さらには運搬時や保管時の占用スペースも少なくすることができる。
【符号の説明】
【００３１】
10  組合せ式家具                      11  底板
12  左側板                            13  右側板
14  天板                              15  背板
16  第１三角背板部                    17  第２三角背板部
20  構成部材
20x 第１構成部材                      20y 第２構成部材
30  方形パネル                        31  短手側方形パネル
32  長手側方形パネル                  33  背板パネル
34  貫通穴
40  Ｌ字フレーム                      41  短手側フレーム部
42  長手側フレーム部
51  ピン穴                            52  接合ピン
53  化粧パネル                        54  固定ピン
60  四角フレーム                      61  装飾パネル
62  固定枠                            63  取付ピン
70  挿嵌穴                            71  第１挿嵌穴
72  第２挿嵌穴                        73  第３挿嵌穴
80  留め具                            81  ピン板
82  並列ピン                          83  ダボ
84  ダボ穴
90  ユニット家具
【図１】
2012223251.tif 000003
【図２】
2012223251.tif 000004
【図３】
2012223251.tif 000005
【図４】
2012223251.tif 000006
【図５】
2012223251.tif 000007
【図６】
2012223251.tif 000008
【図７】
2012223251.tif 000009
【図８】
2012223251.tif 000010
【図９】
2012223251.tif 000011
【図１０】
2012223251.tif 000012
【図１１】
2012223251.tif 000013
【図１２】
2012223251.tif 000014
【図１３】
2012223251.tif 000015